(57)【要約】【課題】  リクライニングチェアにおいて、背もたれ上部を、背面側への突出量を小さく抑え込んで背もたれのリクライニング用後傾を可能とすると共に、座面が沈み込むことなく背もたれ後傾に連動した座面のリクライニング動作を可能にしたリクライニングチェアを提供すること。【解決手段】  ベースフレーム１上に、座面７の後部と背もたれ５の下部が連結状態でガイド機構を介して可動に載架されたリクライニングチェアにおいて、前記ベースフレーム１に、座面７の進退スライドを支持案内する略直線状の座面ガイド２と、背もたれ側の上部を後方へ突出させることなく当該背もたれ５を後傾させるため、その背もたれ５に支持される着座者の頭部を仮想中心として凹円弧状をなす背もたれガイド3a〜3fとを設けると共に、前記座面ガイド２には座面７の下部側に設けた被ガイド部材10を支持案内させ、前記背もたれガイド3a〜3fには背もたれ５を支持した椅子フレームに設けた被ガイド部材10を支持案内させるようにしたこと。【選択図】図３
2008132141.tif 000002
【特許請求の範囲】
【請求項１】
ベースフレーム上に、座面後部と背もたれ下部が連結状態でガイド機構を介して可動に載架されたリクライニングチェアにおいて、前記ベースフレームに、座面の進退スライドをほぼ水平に近い直線状に支持案内する座面ガイドと、背もたれをその上部を後方へ突出させず後傾させるために着座者の頭部付近を仮想中心として当該背もたれに凹円弧状に進退動作をさせる背もたれガイドとを設けたことを特徴とするリクライニングチェア。
【請求項２】
座面ガイドは、ベースフレームに設けた水平に近い直線状のガイド部材と、座面に設けて前記ガイド部材に支持案内される被ガイド部材により形成すると共に、背もたれガイドは、ベースフレームに設けた凹円弧状のガイド部材と、背もたれが取付けられた椅子フレームに設け前記ガイド部材に支持案内される被ガイド部材により形成した請求項１のリクライニングチェア。
【請求項３】
座面ガイドは、ベースフレームの左右側に支脚部材を介してほぼ水平姿勢で配設された直線状の溝を有するガイド部材と、そのガイド部材の溝に案内されるローラを被ガイド部材として設けたローラであって座面を支持した座面フレームに設けられたローラにより構成された請求項１又は２のリクライニングチェア。
【請求項４】
背もたれガイドは、前記ベースフレームの座面ガイドに並設的に固定配置された（上り勾配の）凹円弧状をなすガイド部材と、当該ガイド部材に支持案内されてガイド部材に沿って前後スライドするスライド部材とにより構成された請求項１又は２のリクライニングチェア。
【請求項５】
背もたれは、その下半側の両側前方に位置した、肘掛けを含む椅子フレームを備え、該椅子フレームが前記背もたれガイドのスライド部材に架装されていることにより、前記スライド部材が凹円弧状のガイド部材に案内されて凹円弧状のスライド動作をし、前記背もたれがガイド部材に沿って傾動するようにした請求項１〜４のいずれかのリクライニングチェア。
【請求項６】
背もたれ下部に後端部を結合した座面が、背もたれの前記スライド動作に連動して前方へ押出されるとき、当該座面は、その座面を支持した座面フレームに設けた被ガイド部材が直線状ガイド部材に支持案内されることにより、直線状に前方へ押出されるようにした請求項１〜５のいずれかのリクライニングチェア。
【発明の詳細な説明】
【技術分野】
【０００１】
本発明は、背もたれと座面が連動的に動作して着座姿勢を変えることができるようにしたリクライニングチェアに関する。
【背景技術】
【０００２】
リクライニングチェアは、背もたれを後傾させたり、背もたれの後傾と着座面の前進を連動させて、着座者が安楽な着座姿勢をとることができるようにした椅子であり、オフィスや一般家庭などにおいて広く利用されている。
【０００３】
背もたれを後傾させたり、或は、背もたれの後傾と座面の移動を連動するようにしたリクライニング機構では、例えば特許文献１に開示されたように、背もたれの背面上部が、当該背もたれの後傾に伴って、背もたれ背面側へ大きく突出してしまうことが多い。
【０００４】
しかし、リクライニング時に背もたれの背面上部が、その背面側に突出してしまうリクライニングチェアは、その背もたれが壁に対面する向きで配置されていると、壁がリクライニング時の背もたれの後傾を邪魔するので、当該チェアの配置場所や設置向きが限られるという問題がある。
【０００５】
この点に鑑み背もたれの背面上部がリクライニング時に背もたれ側へ余り大きく突出しないようにしたリクライニングチェアが特許文献２などにより提案されている。しかし、リクライニング時に背もたれ上部の背面側への突出量を小さく抑えようとしたものでは、座面後部が大きく沈み込んでしまう（逆にいうと座面の前端が持上がる）という、副次的作用があるため、不都合な場合がある。
【０００６】
例えば、劇場用椅子などのように、一定スペースの間隔で配列されている椅子では、リクライニング時に背もたれ上部が背面側へ突出すると、前後の椅子の間隔スペースが固定されているため、後部の椅子の着座者に不都合であり、また、リクライニング動作に伴い座面が沈み込んでしまうと、着座者の視線も降下しその向きも上向きになってしまうので、前方の椅子の着座者の頭に視線が遮切られて前方視野が損なわれてしまったり、前方正面が見づらくなってしまうという不都合もある。
【特許文献１】実公昭６１−５１５８号公報
【特許文献２】特公昭５９−４９８０３号公報
【発明の開示】
【発明が解決しようとする課題】
【０００７】
そこで本発明では、リクライニングチェアにおいて、背もたれ上部を、背面側への突出量を小さく抑え込んで背もたれのリクライニング用後傾を可能とすると共に、座面、特に後部が沈み込まず、また、前端部が持上がることなく背もたれ後傾に連動した座面のリクライニング動作を可能にしたリクライニングチェアを提供することを課題とする。
【課題を解決するための手段】
【０００８】
上記課題を解決することを目的としてなされた本発明リクライニングチェアの構成は、
ベースフレーム上に、座面後部と背もたれ下部が連結状態でガイド機構を介して可動に載架されたリクライニングチェアにおいて、前記ベースフレームに、座面の進退スライドをほぼ水平に近い直線状に支持案内する座面ガイドと、背もたれをその上部を後方へ突出させず後傾させるために、着座者の頭部付近を仮想中心として背もたれに凹円弧状に進退動作をさせる背もたれガイドとを設けたことを特徴とするものである。
ここで、前記座面ガイドは、ベースフレームに設けた水平に近い直線状のガイド部材と、座面の下部側に設けて前記ガイド部材に支持案内される被ガイド部材により形成すると共に、背もたれガイドは、ベースフレームに設けた凹円弧状のガイド部材と背もたれを支持する椅子フレームに設けて前記ガイド部材に支持案内される被ガイド部材により形成したものである。
【０００９】
本発明では、座面ガイドを、ベースフレームの左右側に支脚部材を介してほぼ水平姿勢で配設された直線状の溝を有するガイド部材と、そのガイド部材の溝に案内されるローラを被ガイド部材として設けたローラであって座面を支持した座面フレームに設けられたローラとによる構成を採ることができる。
【００１０】
そして、背もたれガイドは、前記ベースフレームの座面ガイドに並設的に固定配置された（上り勾配の）凹円弧状をなすガイド部材と、当該ガイド部材に支持案内されてガイド部材に沿って前後スライドするスライド部材とにより構成されたものとする。
【００１１】
本発明における背もたれは、その下半側の両側前方に位置した、肘掛けを含む椅子フレームを備え、該椅子フレームが前記背もたれガイドのスライド部材に架装されていることにより、前記スライド部材が凹円弧状のガイド部材に案内されて凹円弧状のスライド動作をし、前記背もたれがガイド部材に沿って傾動させる。
【００１２】
背もたれの下部に後端部が結合された座面も、背もたれの前記凹円弧状のスライド動作に連動して前方へ押出される。しかし、当該座面は、その座面を支持した座面フレームに設けた被ガイド部材が水平に近い直線状ガイド部材に支持案内されているので、直線状に前方へ押出される。従って、座面のリクライニング動作で、座面後部が沈み込んだり前部が持上ったりすることはない。
【発明の効果】
【００１３】
本発明チェアは、そのリクライニング機構を、ベースフレーム上に、座面後部と背もたれ下部が連結状態でガイド機構を介して可動に載架されたリクライニングチェアにおいて、前記ベースフレームに、座面の進退スライドをほぼ水平に近い直線状に支持案内する座面ガイドと、背もたれをその上部を後方へ突出させず後傾させるために、着座者の頭部付近を仮想中心として背もたれに凹円弧状に進退動作をさせる背もたれガイドとを設けた構成であるから、背もたれが、人の頭部近傍に仮想中心を設定した背もたれ後傾用の凹円弧状ガイド部材とそれに案内されるスライド部材の作用で、背もたれ上部を後方へ変位させることなく、当該背もたれを前方へせり出すように後傾する。つまり、この背もたれは、当該背もたれ上部の下降変位、並びに、後方への突出変位を抑制した後傾動作をするのである。
一方、座面は、上記背もたれの下部に後端部で結合されているため、背もたれのせり出し後傾に当該座面が連動するが、その座面は、そのフレームの被ガイド部材が直線状ガイド部材に拘束的に案内されることによって、直線状ガイドに沿った前方せり出し動作をする。従って、座面の上下方向での変位は、前記直線状ガイド部材によって意図的に抑制されている。
上記のように、本発明リクライニングチェアは、背もたれ上部の後方への突出変位と上下方向での変位を抑えた背もたれの後傾（リクライニング動作）と、座面の前後での上下変位が抑制された前方せり出し（リクライニング動作）を同時に実現できるので、劇場用椅子などに適用するリクライニングチェアとしてきわめて好適である。
【発明を実施するための最良の形態】
【００１４】
次に本発明リクライニングチェアの実施形態の一例について、図を参照して説明する。図１は本発明リクライニングチェアの内部構造の例を透視的に表した側面図、図２は図１のチェアの構造を説明するための分解的斜視図、図３は図１のチェアの左半側を正面から見て、右半側を背面から見て、ガイド機構の要部を表した図、図４は図１〜図３のチェアのリクライニング機構の構造例を説明するための分解的斜視図、図５は本発明リクライニングチェアの別例の透視的な斜視図である。
【００１５】
図１〜図４において、１は椅子のベースフレームで、ここでは平板状のベースプレート1aの上面左右側部（椅子の前，後から見て）に、短柱状のフレームポスト1bが２本立設され、当該ポスト1b，1bの上端に、水平姿勢のフレームビーム1cが架設固定されて形成されている。なお、1d，1eは、前記ベースプレート1aと、左，右のポスト1bを前後から覆って全体をカバーするため、前後で分割されたベースカバーである。
【００１６】
上記ベースフレーム１のフレームビーム1cには、ベースプレート1aの前方側（図の左方）へ向け傾斜（図の例では水平面に対し45度程度）して立上げられた左右の支脚2aを立設し、該２本の支脚2a，2aの上端部に、それぞれ内面側を直線状のガイド溝2bとする左右２つの直線ガイド部材２が、両部材２，２におけるガイド溝2b，2b同士を対面させて水平に近い角度で設けられることにより、座面の前後スライドを案内する座面ガイドとして設けられている。
【００１７】
上記ベースフレーム１におけるフレームビーム1cには、該ビーム1cに設けた座面ガイドの左右の支脚2a，2aに隣接した内面側に、略凹円弧状（凹弯曲状ともいう）をなす２本のガイドレール部材3a，3aが、背もたれガイドの構成部材として当該レール部材3a，3aの後部近傍を前記ビーム1cに固定することにより設けられている。ここで、ガイドレール部材3a，3aは、断面が逆Ｔ状をなす部材により形成され、その立壁辺の内外面両側にガイドプーリ3b，3cが、当該レール部材3aの長さ方向において、上下方向（高さ方向）での高，低位置を交互にして設けられている。
【００１８】
上記の左右のガイドレール部材3a，3aに対し、外側のプーリ3bの列には、図３の右側に表した平面略凹状で前記レール部材3aと同様の曲率を有する外側スライド部材3eが、その内面溝部31eを前記レール部材3a，3aの後方（図４の右方）から、また、内側のプーリ3cには、前記スライド部材3eと対称的な向きで前記レール部材3aと同様の曲率を有する内側スライド部材3fが、その外面溝部31fを前記レール部材3a，3aの前方（図４の左方）から、それぞれの溝部31eと31fを、対応するプーリ3bと3cに支持案内させて、この凹円弧状をなすガイドレール部材3a，3aに倣って前後スライドするように設けられている。
【００１９】
ここで、前記のガイドレール部材3a，3aに前後から挿装された内，外スライド部材3e，3fは、それぞれの溝部31e，31fにスライドが許容される余剰長さを有するように結合一体化されている。32e，32fは、両スライド部材3e，3fの補強棧で、両部材3e，3fは結合一体化されて、平面からみて凹弯曲した略ラダー状（梯子状）をなすスライドフレームに形成されている。
上記構成により、前記ガイドレール部材3a，3aと、ラダー状に結合一体化されて当該レール部材3a，3aに架装されレール部材3a，3aの前後方向に凹円弧状にスライドするスライドフレーム（3e，3f）とによって、背もたれガイドを形成する。
【００２０】
上記背もたれガイドにおいて、凹円弧状のガイドレール部材3a，3aの曲率の中心は、後述する背もたれにおいて平均的に着座者の頭が位置する点HPに設定したものである。なお、図１，図２において、４は前記ビーム1cと前方のスライド部材3fとの間に架設したガスロック用のシリンダで、後述する肘掛けの前面に設けた操作ボタン（又はハンドル）Obの押し操作で、ロック解除をしてスライド部材3e，3f（スライドフレーム）のスライド動作を許容し、ボタン（又はハンドル）Obの押しを解くと、当該スライド部材3e，3f（スライドフレーム）のスライド動作をロックする。
【００２１】
以上の構成により本発明リクライニングチェアにおけるリクライニング機構の一例を構成する。
本発明では、上記リクライニング機構の所要の構成部材に、図１〜図３により説明するチェアの構成部材（背もたれ、肘掛け、座面）がマウントして結合され、本発明リクライニングチェアに形成されるので、以下にこの点について述べる。
【００２２】
図１〜図３と図４において、背もたれ５と、その背もたれ下半部の左右両側に、当該背もたれ５と一体に形成された左右の肘掛け６は、背もたれ５の下端部と肘掛け６の下部において、ラダー状のスライド部材3e，3f（スライドフレーム）の後部と両側とに取付けられている。この構成により、図１に実線で示した位置にある背もたれ５と左右の肘掛け６とは、ガスロック４がロック解除された状態では、図１に仮想線と符号５´，６´で示す位置に変位するリクライニング動作をする。この動作は、背もたれ５と左右の肘掛け６の下部に内装した剛性の芯材やフレーム材など（図示せず）が、スライド部材3e，3f（スライドフレーム）に結合されていることにより、ガイドレール部材3a，3aの曲率に沿って、即ち、仮想中心HPを中心としたガイドレール部材3aとスライド部材3e，3f（スライドフレーム）の協働作用による揺動運動をする。これによって背もたれ５は、図１に仮想線で示す符号５´の姿勢に変位するから、着座者には背もたれ５が後傾した着座姿勢がもたらされる。
【００２３】
一方、座面７は、図２に示す平面から見て四角形状の剛性枠体による座面フレーム８の上に取付けられていると共に、当該フレーム８の後端部の左右側上方へ向けて立設したブラケット8aにおいて、背もたれ５の内部フレーム（図に表われず）にピボット軸９により連結されている。また、この座面フレーム８におけるほぼ中心部の左右側の下面側には、上述した座面５の左右のガイド部材２における直線状のガイド溝2b，2bに支持案内されるローラ10が設けられている。
【００２４】
上記のように前記座面フレーム８は、その中間部に設けた左右のローラ10が前記ガイド溝2bに支持されていると共に、当該フレーム８の後端側が背もたれ５の内部フレームにピボット軸９により連結されていることにより、先に述べた背もたれ５のスライド動作(リクライニング動作)に連動する。しかし、この連動における座面フレーム８は、その中間部のローラ10が、直線状のガイド溝2bに拘束的に支持されていることによって、ガイド溝2bの直線に倣って前方へ押出されることになる（図１参照）。つまり、座面７は、背もたれ５の上記姿勢変化の動作に拘らず、直線状のガイド溝2bに案内されて、ほぼ水平に前進移動することになるのである。
【００２５】
そこで、本発明リクライニングチェアに座った着座者は、自分の好みなどに応じて操作ボタンObを押してガスロック４を解除しておき、その体躯を背もたれ５にあずけ、床に着いた脚を伸ばすなどして座面７に座った臀部でその座面７を前方へ押出すようにすると、座面７は僅かな上向き角（ガイド２の設定角）で殆んど上下方向での変位を着座者に感じさせることなく前方へせり出される（符号７´参照）と共に、この座面７とピボット軸９において結合している背もたれ５も、その下部側が前方へ引出される。前方へ引出される当該背もたれ５は、肘掛け６と一緒に、凹弯曲した背もたれガイド機構によって、仮想中心HPを中心とする後傾動作（図１の実線と鎖線を対比参照）をするが、図示したように、この背もたれ５の上部の降下と後面側への変位量は小さい。
このように、本発明リクライニングチェアは、背もたれ５の上部が背面側へ大きく変位したり、下方へ変位することなく、背もたれ５を後傾（リクライニング）させることができると同時に座面７を背もたれ５の前記動作に連動させるが、上下方向での変位を抑制した、特に、座面７の前端部の持上り後部の沈み込みがない座面７のリクライニングスライドを実現することができる。
【００２６】
次に、上述した本発明リクライニングチェアの例と同じリクライニング動作をする本発明リクライニングチェアの別例について、図５により説明する。
図５に示した本発明リクライニングチェアの別例は、リクライニング機構の基本構成は、図１〜図４により上記に説明したものと同様であるが、背もたれ５を後傾させる背もたれガイドの構成に差異があるので、この点を中心に説明する。
【００２７】
先の実施形態（図１〜図４参照）におけるリクライニング機構では、背もたれ５の後傾用背もたれガイドが、プーリ3b，3cを備えた逆Ｔ字状のガイドレール3aに、横向き凹状断面で、浅い凹状に弯曲したラダー（梯子）状をなすスライド部材3e，3f（スライドフレーム）を、前記プーリ3b，3cに案内されてスライドするように架装して形成されており、この背もたれガイドの前記スライド部材3e，3f（スライドフレーム）に、左右の肘掛け６を一体に備えた背もたれ５をマウントして形成されていた。
【００２８】
図５に示す本発明リクライニングチェアの別例では、上記例の断面逆Ｔ状のガイドレール部材3aに代えて、断面円形や四角形の棒材やパイプ材によってガイドレール部材33aとし、このレール部材33aに、リニアスライド機構のスライダのようなスライドブロック33b，33cを少なくとも２個をスライド可能に架装すると共に、当該ブロック33b，33cに、前記例のスライドフレーム（3e，3f）に相当する枠状のスライドフレーム33eを搭載固定することにより、背もたれガイドを構成している。
【００２９】
図５の背もたれガイドには、前記フレーム33eに、上述した実施形態例と同じ構成の肘掛け６を一体に備えた背もたれ５をマウントすると共に、この背もたれ５のフレームとピボット軸９を介して結合された座面７を備えた座面フレーム８のローラ10を座面ガイドにおける直線ガイド部材２のガイド溝2bにマウントすることにより、本発明リクライニングチェアの別例に構成される。なお、図５において、図１〜図４と同一部材には同一符号を用いている。
【産業上の利用可能性】
【００３０】
本発明は以上の通りであって、リクライニングチェアを、ベースフレーム上に、座面後部と背もたれ下部が連結状態でガイド機構を介して可動に載架されたリクライニングチェアにおいて、前記ベースフレームに、座面の進退スライドをほぼ水平に近い直線状に支持案内する座面ガイドと、背もたれをその上部を後方へ突出させず後傾させるために、着座者の頭部付近を仮想中心として背もたれに凹円弧状に進退動作をさせる背もたれガイドとを設けた構成としたので、リクライニング時に連動する背もたれと座面とを、夫々に独立したガイドによって上部が後方へ突出しない背もたれの後傾と座面の水平に近い前進をさせることができる。
これにより本発明リクライニングチェアは、背もたれ上部の上下方向，前後方向への変位量を抑えた後傾と、座面の沈み込みや持上りのないほぼ水平な進出を実現できるから、着座者の目線の高さを殆んど変化させずに、後の座席に迷惑にならない背もたれ後傾によるリクライニング姿勢をとることができる。
よって、本発明リクライニングチェアは、劇場，映画館，ひな段式に多数の椅子を設置した講堂などに用いるリクライニングチェアとしてきわめて好適である。
【図面の簡単な説明】
【００３１】
【図１】本発明リクライニングチェアの内部構造の例を透視的に表した側面図。
【図２】図１のチェアの構造を説明するための分解的斜視図。
【図３】図１のチェアの左半側を正面から見て、右半側を背面から見て、ガイド機構の要部を表した図。
【図４】図１〜図３のチェアのリクライニング機構の構造例を説明するための分解的斜視図。
【図５】本発明リクライニングチェアの別例の透視的な斜視図。
【符号の説明】
【００３２】
１        ベースフレーム
２        直線ガイド部材
2b        ガイド溝
3a        ガイドレール部材
3b，3c    ガイドプーリ
3e，3f    内，外側スライド部材
４        ガスロック用のシリンダ
５        背もたれ
６        肘掛け
７        座面
８        座面フレーム
９        ピボット軸
10        ローラ
【図１】
2008132141.tif 000003
【図２】
2008132141.tif 000004
【図３】
2008132141.tif 000005
【図４】
2008132141.tif 000006
【図５】
2008132141.tif 000007